(57)【要約】      （修正有）【課題】傘の柄に対する着脱が容易で送風方向の設定が容易な扇風機を提供する。【解決手段】互いに協働して傘の柄Ｐに対する保持部Ｈを形成する本体１および開閉体３と、本体１に第１軸部Ｊ１を介して姿勢変化可能に接続される羽根ユニット２と、を備え、本体１に、本体１を柄Ｐに取り付ける際の閉じ状態と本体１を柄Ｐから取り外す際の開き状態とに切り替わる開閉体３が第２軸部Ｊ２を介して接続されている。【選択図】図２
0003224868.tif 000002
【実用新案登録請求の範囲】
【請求項１】
互いに協働して傘の柄に対する保持部を形成する本体および開閉体と、
前記本体に第１軸部を介して姿勢変化可能に接続される羽根ユニットと、を備え、
前記本体に、前記本体を前記柄に取り付ける際の閉じ状態と前記本体を前記柄から取り外す際の開き状態とに切り替わる開閉体が第２軸部を介して接続されている扇風機。
【請求項２】
前記本体および前記開閉体のうち少なくとも何れか一方に、前記開閉体が前記閉じ状態にあるとき前記柄に弾性当接するクッション材を備えている請求項１に記載の扇風機。
【請求項３】
前記第２軸部が、
前記開閉体において互いに対向する側面の夫々に形成された円柱状の軸体と、
前記本体において前記開閉体の二つの前記側面の夫々に対向する状態に配置された受面に前記軸体を挿入可能に形成され、前記開閉体が前記開き状態にあるとき前記開閉体が前記本体に近接し当接するのを許容する長孔と、を備えている請求項１または２に記載の扇風機。
【請求項４】
前記本体および前記開閉体における前記保持部を挟んで前記第２軸部とは反対側の位置に、前記開閉体が閉じ状態にあるとき、前記本体と前記開閉体とを係合する係止部および被係止部が各別に形成されている請求項１から３の何れか一項に記載の扇風機。
【考案の詳細な説明】
【技術分野】
【０００１】
本考案は、日傘や雨傘の柄に取り付ける扇風機に関する。
【背景技術】
【０００２】
従来、外出先等においても涼しさを得ることができるように種々の扇風機が使用されている。例えば、特許文献１には、首掛け式のストラップを握り部に設けた携帯用の扇風機が示されている。この扇風機は、電池を収容する握り部に、モータおよび羽根をかご型のカバーで覆った頭部が姿勢変更可能に取り付けられている。この扇風機では、頭部を回動させて好みの方向に送風することで手軽に涼感を得ることができる。
【０００３】
特許文献２には、傘の表面に太陽電池が設置され、ここで得られた電力を日傘の柄に取り付けたパワーコンディショナーおよびモータに供給する携帯用の扇風機が示されている。日傘の柄に扇風機を装着することで、日よけ効果に加えて送風効果を得るものである。尚、パワーコンディショナーは柄から取り外し、利用者の身体に取付けることもできる。また、扇風機の羽根も取り外して別途収納することができる。
【先行技術文献】
【特許文献】
【０００４】
【特許文献１】登録実用新案第３０８０１３７号公報
【特許文献２】登録実用新案第３１８７０１８号公報
【考案の概要】
【考案が解決しようとする課題】
【０００５】
特許文献１の扇風機は、携帯に際して首に掛けるか手で保持することができる。ただし、扇風機を首に掛けた場合、人の動作に伴い扇風機も動いてしまうため、送風方向を望みの方向に固定することができない。
【０００６】
また、扇風機を手で保持する場合には片手が塞がるため、日差しの強い日や雨の日など傘を使用しつつ扇風機も使用したい場合には両手が塞がることとなる。仮にその他の荷物がある場合にはそれらの保持が煩雑となる。
【０００７】
一方、特許文献２の扇風機にあっては、扇風機の本体部分が傘の柄に固定されるため、扇風機を保持する煩雑さは軽減される。しかし、送風方向を上下に変更できるかどうかは不明であり、あえて送風方向を変更するには傘の柄を傾けるしかないと推測される。加えて、パワーコンディショナーや扇風機の羽根が取り外しできるとの記載があるが、扇風機本体の着脱構造については記載がなく、傘の柄に対する着脱が煩雑である可能性がある。
【０００８】
このように従来の携帯用の扇風機にあっては種々の解決すべき課題があり、傘の柄に対する着脱が容易で送風方向の設定が容易な扇風機が求められている。
【課題を解決するための手段】
【０００９】
本考案に係る扇風機の特徴構成は、互いに協働して傘の柄に対する保持部を形成する本体および開閉体と、前記本体に第１軸部を介して姿勢変化可能に接続される羽根ユニットと、を備え、前記本体に、前記本体を前記柄に取り付ける際の閉じ状態と前記本体を前記柄から取り外す際の開き状態とに切り替わる開閉体が第２軸部を介して接続されている点にある。
【００１０】
（効果）
本構成の如く、羽根ユニットが第１軸部を介して本体に接続されていることで、傘の柄に対する本体の取付姿勢に拘わらず、羽根ユニットの方向を変更し送風方向を任意に設定することができる。
【００１１】
また、本構成の如く本体と開閉体とが第２軸部を介して接続され、扇風機を傘の柄に取り付ける際に開閉体が本体に対して開閉自在となるものであれば、柄に対する本体の取り付けが簡単になる。
【００１２】
つまり、開閉体が第２軸部を中心に開き動作することで、傘の柄に対して柄の直角方向から本体を近接させ取り付けることができるから、傘の柄の任意の位置に対して本体を迅速に取り付けることができる。
【００１３】
さらに、開閉体が第２軸部を介して本体に取り付けられていることで、傘の柄に対する扇風機の着脱に際して開閉体が本体から分離することがない。よって扇風機を片手に持って柄に取り付けることも可能であり、当該扇風機の取り扱いが容易となる。
【００１４】
本考案に係る扇風機の特徴構成は、前記本体および前記開閉体のうち少なくとも何れか一方に、前記開閉体が前記閉じ状態にあるとき前記柄に弾性当接するクッション材を備えた点にある。
【００１５】
（効果）
本構成の如く開閉体を閉じ状態にしたときクッション材が柄に弾性当接することで、本体が柄に対して回転し難くなり、柄の長手方向に沿って移動し難くなる。よって羽根ユニットの向きが安定し、使用者に対する一定状態の送風が可能となる。
【００１６】
また、クッション材が弾性を有するため、取り付け得る柄の直径寸法に一定の許容範囲を持たせることができる。よって、当該扇風機の汎用性を高めることができる。
【００１７】
本考案に係る扇風機の特徴構成は、前記第２軸部が、前記開閉体において互いに対向する側面の夫々に形成された円柱状の軸体と、前記本体において前記開閉体の二つの前記側面の夫々に対向する状態に配置された受面に前記軸体を挿入可能に形成され、前記開閉体が前記開き状態にあるとき前記開閉体が前記本体に近接し当接するのを許容する長孔と、を備えた点にある。
【００１８】
（効果）
本構成の如く、第２軸部に長孔を設けておき、開閉体が開き状態にあるとき開閉体が本体に当接できるようにすることで、本体を傘の柄に取り付ける際の開閉体の損傷を防止することができる。
【００１９】
例えば開閉体を開き状態にし、保持部に傘の柄を位置させて開閉体を閉じ操作するとき、本体と本体の保持部に位置決めした柄とを左手で同時に押さえることがある。このとき、柄の近傍には開き姿勢にある開閉体の裏面の縁部があるため、左手の親指は、この裏面縁部も同時に押すこととなる。この押し力は、傘の柄を確実に保持するために比較的強いものである。
【００２０】
仮に、第２軸部の軸体が円形の孔部に挿通する構成である場合、本体に対する開閉体の開閉動作は第２軸部を支点として円滑に動作する。しかし、開閉体と本体との開閉時の干渉を防止するために開閉体の周縁部は本体から離間していることが多く、軸体のみが本体に当接した状態となる。この結果、上記親指の押し力が開閉体に作用したとき当該押し力が軸体に集中して軸体が破損する恐れが生じる。
【００２１】
そこで本構成の如く、開き状態にある開閉体の軸体が長孔に沿って移動し、開閉体のうち軸体とは異なる部位が本体に当接するように構成することで、上記装着時の軸体への負担を解消することができる。この結果、第２軸部の耐久性を高めることができる。
【００２２】
本考案に係る扇風機の特徴構成は、前記本体および前記開閉体における前記保持部を挟んで前記第２軸部とは反対側の位置に、前記開閉体が閉じ状態にあるとき、前記本体と前記開閉体とを係合する係止部および被係止部が各別に形成されている点にある。
【００２３】
（効果）
本構成の如く係止部および被係止部を設けておくことで、開閉体の開閉操作が簡便なものとなり、柄に対する本体の着脱が極めて容易となる。
【図面の簡単な説明】
【００２４】
【図１】本実施形態に係る扇風機の外観を示す斜視図である。
【図２】本実施形態に係る扇風機の取付状態を示す斜視図である。
【図３】扇風機の主要部品を示す分解斜視図である。
【図４】開閉体の開閉動作を示す説明図である。
【考案を実施するための形態】
【００２５】
（概要）
本考案に係る扇風機Ｓの実施形態を図１乃至図４に示す。図１（ａ）に示すように、当該扇風機Ｓは、本体１と、当該本体１に第１軸部Ｊ１を介して姿勢変化可能に接続される羽根ユニット２とを有する。これにより送風方向を変更することができる。
【００２６】
また、本体１と、当該本体１に対して第２軸部Ｊ２を介して開閉自在に接続された開閉体３を有する。本体１を柄Ｐに取り付ける際には、開閉体３の第１対向面Ｆ１が本体１の第２対向面Ｆ２に対向する閉じ状態となり、本体１と開閉体３とで保持部Ｈが形成される。本体１を柄Ｐから取り外す際には開閉体３は開き状態となる。
【００２７】
本構成であれば、開閉体３が第２軸部Ｊ２を中心に開き動作し、本体１を傘の柄Ｐに対して柄Ｐの直角方向から近接させ取り付けることができる。よって、本体１を柄Ｐの任意の位置に迅速かつ容易に取り付けることができる。
【００２８】
また、傘の柄Ｐに対する扇風機Ｓの着脱に際して開閉体３が本体１から分離することがなく、使用者は片手で扇風機Ｓを柄Ｐに取り付けることもでき扇風機Ｓの取り扱いが容易となる。
【００２９】
（羽根ユニット）
羽根ユニット２は、前後に分割構成される網状のカバー２１の内部に駆動モータ２２と羽根２３とを備えている。カバー２１は、前カバー２１ａと後カバー２１ｂとからなり、前カバー２１ａは、後カバー２１ｂに対して、バヨネット構造の四つの接合部により接合する。
【００３０】
駆動モータ２２は、後カバー２１ｂに取り付けられており、後カバー２１ｂに固定されたコイルと、当該コイルの周囲に配置された円筒状の永久磁石と、当該永久磁石に固定された羽根２３とを有する。
【００３１】
駆動モータ２２は、本体１の内部に設けられた充電バッテリーおよび制御回路と接続されている。充電バッテリーへの充電は本体１に設けた充電端子１６を用いて行う。駆動モータ２２は、本体１の側面に設けられたプッシュ・プッシュ方式の切替機構を備えたスイッチ２４（図１（ｂ））の操作により多段階の速度制御が可能である。本体１の第２対向面Ｆ２には、スイッチ２４がＯＮの状態を示すＬＥＤを用いたインジケータ２５が設けてある。
【００３２】
羽根ユニット２を本体１に取り付ける第１軸部Ｊ１は、図示は省略するが、羽根ユニット２に設けた第１軸体と、本体１に設けられてこの第１軸体を回転可能に支持する第１軸受とを備えている。第１軸体の一部には平歯車が固定されており、他方の本体１には、この平歯車に弾性的に当接するクリック部材が設けてある。これにより、羽根ユニット２の角度を変更するとクリック部材が平歯車の歯を一つずつ乗り越える感触が得られると共に、羽根ユニット２の姿勢を断続的な位置で固定することができる。
【００３３】
（本体および開閉体の構造）
本実施形態における第２軸部Ｊ２の構造を図２および図３に示す。開閉体３の側面のうち、本体１の長手方向Ｘに直行しつつ互いに対向する二つの側面Ｆ３には、長手方向Ｘに沿って突出する円柱状の軸体３１が形成されている。
【００３４】
一方、本体１にあっては、開閉体３の二つの側面Ｆ３の夫々に対向する状態に配置された受面Ｆ４に軸体３１を挿入可能な長孔１１が形成されている。この長孔１１は、開閉体３が回動するための軸体３１の軸受であると共に、開閉体３が開き状態にあるとき開閉体３が本体１に近接し当接するのを許容するものである。
【００３５】
二つの軸体３１のうち一方は、側面Ｆ３と同一平面を形成するように形成された可撓部３２に設けられている。因みに、開閉体３および可撓部３２、軸体３１は樹脂材料で一体成形されている。これにより、受面Ｆ４どうしの間に開閉体３を装着する際には可撓部３２が開閉体３に対して曲り変形し、二つの軸体３１を長孔１１に挿入する作業を容易にしている。
【００３６】
図４には、開閉体３を開閉操作する際の開閉体３の姿勢変化の様子を示す。図４（ａ）の状態から図４（ｂ）の状態となるよう開閉体３を開き操作すると、開閉体３は軸体３１を中心に回転する。このとき、開閉体３の第１対向面Ｆ１の角部３３が軸体３１を中心に円弧状の軌跡を描いて移動する。よって本体１の第２対向面Ｆ２には、角部３３との干渉を防止するように円弧状の溝部１２が形成してある。
【００３７】
開閉体３がさらに開き動作し、図４（ｃ）に示すように角部３３が溝部１２から離れると、開閉体３の全体が第２対向面Ｆ２に近接可能となる。このとき軸体３１が長孔１１に沿って移動する。さらに開閉体３が完全に開いた図４（ｄ）に示す状態では、開閉体３が本体１に最も近付き、開閉体３の表面３４が本体１の第２対向面Ｆ２に当接する姿勢となる。開閉体３のこの姿勢は、本体１を傘の柄Ｐに取り付ける際の姿勢である。
【００３８】
このような開閉体３の動作態様は、本体１を傘の柄Ｐに取り付ける際に開閉体３の損傷を防止する効果を発揮する。例えば開閉体３を開き状態にし、保持部Ｈに傘の柄Ｐを位置させて開閉体３を閉じ操作するとき、本体１と、本体１の保持部Ｈに位置決めした柄Ｐとを左手で同時に押えることがある。このとき、柄Ｐの近傍には、開き姿勢にある開閉体３の第１対向面Ｆ１の縁部、即ち角部３３があるため、左手の親指は、この角部３３も同時に押さえることとなる。この押し力は、傘の柄Ｐを確実に保持するために比較的強いものである。
【００３９】
仮に、軸体３１を挿通させる孔が円形である場合、本体１に対する開閉体３の開閉動作は当該円形の孔を中心に円滑なものとなり得る。しかし、円形の孔を設けて本体１に対する開閉体３の移動を回転移動のみに限定すると、本体１に対する開閉体３の干渉を防止するために開閉体３の角部３３は本体１の第２対向面Ｆ２から離間させておく必要がある。その場合、開閉体３の軸体３１のみが本体１の孔に当接した状態となり、開閉体３に作用する上記押し力が軸体３１に集中して軸体３１が破損する恐れが生じる。
【００４０】
また、開閉体３が閉じ状態にあるとき角部３３が本体１の第２対向面Ｆ２から離間していると隙間の存在が明瞭となり意匠性が損なわれる恐れもある。
【００４１】
そこで本構成の如く、開き動作する開閉体３の軸体３１が長孔１１に沿って移動できるように構成し、開き姿勢にあっては例えば開閉体３のうち軸体３１とは異なる表面３４が本体１の第２対向面Ｆ２に当接する構成とする。これにより上記装着時の軸体３１への負担を解消することができ、第２軸部Ｊ２の耐久性を高めることができる。
【００４２】
さらに、本体１は樹脂成形されているから、本体１のうち開閉体３の二つの側面Ｆ３の夫々に対向する受面Ｆ４に長孔１１を形成することは容易である。例えば、樹脂成形に際しては、通常、表側の抜き型と裏側の抜き型とを互いに押し付けて本体１の樹脂部となるキャビティを形成する。その際に、受面Ｆ４を形成する壁部の一部に樹脂が充填されないような土手部を一方の抜き型に形成しておくことで、受面Ｆ４の一部に壁部が形成されず長孔１１となる。これにより、二つの抜き型で本体１を成形する場合でも、抜き型の移動方向に垂直な孔部を形成することができ、長孔１１を備えた本体１を容易に得ることができる。
【００４３】
図２および図３に示すように、本実施形態にあっては、本体１および開閉体３における保持部Ｈを挟んで第２軸部Ｊ２とは反対側の位置に係止部４１および被係止部４２が各別に形成されており、開閉体３が閉じ状態にあるとき本体１と開閉体３とを係合する。
【００４４】
このうち係止部４１は、開閉体３のうち本体１に対向する第１対向面Ｆ１から本体１の側に突出する状態に一体形成されており、先端には傾斜面４１ａを有する鉤状の係止爪４１ｂが形成されている。
【００４５】
一方、本体１に設けられた被係止部４２は、係止爪４１ｂに係合する被係止爪４２ｂを備えている。被係止部４２は本体１の内面に設けられたガイド部により本体１の長手方向Ｘに沿ってスライド移動可能である。被係止部４２には、本体１の内部に向けて突出する棒状の第１ばね受け４２ａが形成されており、ここに引張コイルばね５の一端が接続される。引張コイルばね５の他端は、本体１の内面に形成された第２ばね受け１３に接続される。これにより、被係止部４２は、被係止爪４２ｂが係止爪４１ｂに係合する方向に常時付勢される。
【００４６】
本体１の第２対向面Ｆ２には、被係止部４２の一部が露出する開口部１４が形成してある。つまり、開閉体３の閉じ操作によって係止爪４１ｂが開口部１４に進入し被係止爪４２ｂに係合する。係止爪４１ｂが被係止爪４２ｂに係合するとき、係止爪４１ｂの傾斜面４１ａが被係止爪４２ｂを押圧し、被係止部４２が引張コイルばね５の付勢力に抗ってスライド移動する。係止爪４１ｂの傾斜面４１ａが被係止爪４２ｂを乗り越えると被係止部４２が引張コイルばね５に引き戻され、両者が係止状態となる。
【００４７】
本体１の側面Ｆ５には第２開口部１５が形成されており、スライドする被係止部４２の操作部４３が第２開口部１５から露出する。係止状態にある係止爪４１ｂを係合解除する場合には、操作部４３を引張コイルばね５の付勢力に抗ってスライドさせ係止爪４１ｂを被係止爪４２ｂから離脱させる。
【００４８】
本構成の如く係止部４１および被係止部４２を設けておくことで、開閉体３の開閉操作が簡便なものとなり、傘の柄Ｐに対する本体１の着脱が極めて容易となる。
【００４９】
（クッション材）
本体１が傘の柄Ｐに対して確実に固定されるために、本体１および開閉体３のうち少なくとも何れか一方にクッション材６を設けておくとよい。クッション材６は例えば弾性を有する各種樹脂材料で構成する。本実施形態の扇風機Ｓでは、開閉体３の第１対向面Ｆ１にクッション材６を設けてある。このクッション材６は、開閉体３が閉じ状態にあるとき柄Ｐに当接し弾性変形するよう厚みが設定される。柄Ｐの太さは使用する傘によって異なるから、例えば、使用者が良く使う傘の柄Ｐの直径寸法に応じて数種類の厚みのクッション材６を用意しておき、使用者が最適なクッション材６を開閉体３の裏面に張り付けることとすればよい。
【００５０】
このように、クッション材６が弾性を有することで、取り付け得る柄Ｐの直径寸法に一定の許容範囲を持たせることができ、扇風機Ｓの汎用性を高めることができる。
【００５１】
また、クッション材６は、弾性の他に、傘の柄Ｐに対して大きな摩擦力を発生させ得るものであれば、本体１が柄Ｐに対して回転し難くなり、柄Ｐの長手方向に沿っても移動し難くなる。よって羽根ユニット２の向きが安定化し、使用者に対する一定状態の送風が可能となる。
【００５２】
（使用例）
本実施形態の扇風機Ｓは、図２に示すように、羽根ユニット２を本体１に対して折り曲げた状態とし、傘の柄Ｐの下方位置に取り付けると、使用者に対して下方から上向きに送風することができる。このように柄Ｐの下方位置に取り付ける場合、傘の重心が下がるため傘の保持が容易となる。
【００５３】
一方、図示は省略するが、羽根ユニット２を折り曲げた図２に示す状態のものを上下逆にして、傘の柄Ｐの上方に取り付けても良い。その場合、送風方向が下向きとなり、胸元等への送風が行い易くなる。
【００５４】
その他の使用例としては、使用者が本体１を手で保持するものであっても良い。その場合には、羽根ユニット２の向きを適宜選択すると良い。また、羽根ユニット２を適度に折り曲げ、開閉体３の表面３４を机上面に当接するように置いても良い。
【産業上の利用可能性】
【００５５】
本考案は、各種の携帯用の扇風機に広く適用することができる。
【符号の説明】
【００５６】
１    本体
１１  長孔
２    羽根ユニット
３    開閉体
３１  軸体
４１  係止部
４２  被係止部
６    クッション材
Ｆ３  側面
Ｆ４  受面
Ｈ    保持部
Ｊ１  第１軸部
Ｊ２  第２軸部
Ｐ    柄
Ｓ    扇風機
【図１】
0003224868.tif 000003
【図２】
0003224868.tif 000004
【図３】
0003224868.tif 000005
【図４】
0003224868.tif 000006